(57)【特許請求の範囲】
【請求項１】
上衣本体の下部で、少なくとも前部の内側に、周方向に延びるカバーシートの上端部を取付け、
カバーシートの下端部は、上衣本体の裾よりも下方に延びており、
上衣本体の下部とのカバーシートの取付け部と、上衣本体の裾との上下方向の途中であって、かつ上衣本体の下部の内面とカバーシートの外面との間に、野球用下衣のウエストベルトが位置し、
カバーシートの生地は、上衣本体の生地よりも薄いことを特徴とする野球用上衣。
【請求項２】
上衣本体の下部で、少なくとも前部の内側に、周方向に延びるカバーシートの上端部を取付け、
カバーシートの下端部は、上衣本体の裾よりも下方に延びており、
上衣本体の下部とのカバーシートの取付け部と、上衣本体の裾との上下方向の途中であって、かつ上衣本体の下部の内面とカバーシートの外面との間に、野球用下衣のウエストベルトが位置し、
カバーシートの生地は、上衣本体の生地よりも表面の摩擦係数が小さい特性を有することを特徴とする野球用上衣。
【請求項３】
上衣本体の下部で、少なくとも前部の内側に、周方向に延びるカバーシートの上端部を取付け、
カバーシートの下端部は、上衣本体の裾よりも下方に延びており、
上衣本体の下部とのカバーシートの取付け部と、上衣本体の裾との上下方向の途中であって、かつ上衣本体の下部の内面とカバーシートの外面との間に、野球用下衣のウエストベルトが位置し、
カバーシートの生地は、上衣本体の生地よりも薄く、
カバーシートの生地は、上衣本体の生地よりも表面の摩擦係数が小さい特性を有することを特徴とする野球用上衣。
【請求項４】
カバーシートは、ほぼ全周にわたって形成されることを特徴とする請求項１〜３のうちの１つに記載の野球用上衣。
【請求項５】
上衣本体の下部とのカバーシートの取付け部と、上衣本体の裾との上下方向の長さは、約２０〜４０ｃｍであることを特徴とする請求項１〜４のうちの１つに記載の野球用上衣。
【請求項６】
上衣本体は、前あき形であり、
カバーシートが、少なくとも左右の各前身ごろの前部の内側に、周方向にそれぞれ延びることを特徴とする請求項１〜５のうちの１つに記載の野球用上衣。
【請求項７】
上衣本体は、かぶり形であり、
カバーシートは、無端環状であることを特徴とする請求項１〜５のうちの１つに記載の野球用上衣。
【請求項８】
カバーシートは、自然状態で周方向に縮小し、身体に装着した状態で、身体の胴部を弾発的に締め付けることを特徴とする請求項７記載の野球用上衣。
【発明の詳細な説明】
【０００１】
【発明の属する技術分野】
本発明は、野球用ユニホームジャケットまたは野球用ユニホームシャツなどの野球用上衣に関する。
【０００２】
【従来の技術】
野球の試合中、スライディングが頻繁に行われる。特にヘッドスライディングでは、野球用ユニホームジャケットの下部と、ズボンのウエストベルトが設けられている上部との間に、グランドの砂が入り込む。その結果、野球の試合を中断せざるを得ない結果となる。
【０００３】
この問題を解決する先行技術は、特開平９−１２２２８８である。この先行技術では、野球用ユニホームジャケットなどのユニホーム上着の中腹からズボンベルトまでを、被う布地を、マジックテープ（登録商標）（商品名）によって取付け、砂がズボン上部から内側に入り込むことを、前記布地によって防ぐ。
【０００４】
この先行技術では、ユニホーム上着とズボンとの前部に布地が設けられるので、その布地が目立ちやすく、美感が劣る。またスライディング時、布地とグランドの表面とが摩擦接触することによって、マジックテープ（登録商標）、したがって布地がユニホーム上着およびズボンから外れてしまう恐れがある。さらに布地を装着し忘れる恐れがある。
【０００５】
【発明が解決しようとする課題】
本発明の目的は、野球の試合中におけるヘッドスライディング時などにおいてズボンの上部から砂などが入り込むことを確実に、常に防ぐことができるように改良された野球用上衣を提供することである。
【０００６】
【課題を解決するための手段】
本発明は、上衣本体の下部で、少なくとも前部の内側に、周方向に延びるカバーシートの上端部を取付け、
カバーシートの下端部は、上衣本体の裾よりも下方に延びており、
上衣本体の下部とのカバーシートの取付け部と、上衣本体の裾との上下方向の途中であって、かつ上衣本体の下部の内面とカバーシートの外面との間に、野球用下衣のウエストベルトが位置し、
カバーシートの生地は、上衣本体の生地よりも薄いことを特徴とする野球用上衣である。
【０００７】
また本発明は、上衣本体の下部で、少なくとも前部の内側に、周方向に延びるカバーシートの上端部を取付け、
カバーシートの下端部は、上衣本体の裾よりも下方に延びており、
上衣本体の下部とのカバーシートの取付け部と、上衣本体の裾との上下方向の途中であって、かつ上衣本体の下部の内面とカバーシートの外面との間に、野球用下衣のウエストベルトが位置し、
カバーシートの生地は、上衣本体の生地よりも表面の摩擦係数が小さい特性を有することを特徴とする野球用上衣である。
また本発明は、上衣本体の下部で、少なくとも前部の内側に、周方向に延びるカバーシートの上端部を取付け、
カバーシートの下端部は、上衣本体の裾よりも下方に延びており、
上衣本体の下部とのカバーシートの取付け部と、上衣本体の裾との上下方向の途中であって、かつ上衣本体の下部の内面とカバーシートの外面との間に、野球用下衣のウエストベルトが位置し、
カバーシートの生地は、上衣本体の生地よりも薄く、
カバーシートの生地は、上衣本体の生地よりも表面の摩擦係数が小さい特性を有することを特徴とする野球用上衣である。
【０００８】
野球用ユニホームジャケットまたは野球用ユニホームシャツなどの上衣１の身ごろである上衣本体２の裾４付近であって、その裾から上方の部分である下部５で、少なくとも前身ごろ付近である前部の内側に、カバーシート３，３ａの上端部を縫付けるなどして取付け、このカバーシートの下端部１５は、上衣本体２の裾４よりも下方に長く延びる。野球ユニホームズボンまたは野球ユニホームパンツなどの野球用下衣の上部１２に設けられたウエストベルト１４は、その野球用下衣１１の上部１２とカバーシート３，３ａとを野球選手の身体の胴部１８にウエストベルト１４によって締め付けられる。上衣本体２の下部５は、ウエストベルト１４と、そのウエストベルトが設けられた野球用下衣１１の上部１２を外方から被う。
【０００９】
したがって野球の試合中における、たとえばヘッドスライディング時、上衣本体２の下部５は、野球用下衣１１の上部１２を被っているので、その野球用下衣１１の上部１２内にグランドの砂が入り込む恐れはない。カバーシート３，３ａは、野球用下衣１１の上部１２の内方でウエストベルト１４によって締め付けられるので、上衣本体２の下部５が、野球選手の運動に従って揺れたり、ばたつくことは抑制される。
【００１０】
カバーシート３，３ａの下端部１５は、上衣本体２の裾４よりも下方に長く延びるので、カバーシート３がウエストベルト１４によって締め付けられることが確実であり、たとえ上衣本体２が身体の上方にずれても、カバーシート３はウエストベルト１４によって締め付けられた状態が保たれることになる。
【００１１】
本発明の実施の他の形態では、カバーシート３の下端部１５は、上衣本体２の裾４とほぼ同一の上下位置に存在してもよく、またはカバーシート３の下端部１５は、上衣本体２の裾４よりも上方に存在してもよい。
【００１２】
カバーシート３は、上衣本体２の内側に配置されるので、外方からカバーシート３が見えることはなく、美感の向上が図られる。さらにカバーシート３は上衣本体２に取付けられているので、その上衣本体２を装着する状態では、カバーシート３が確実に装着されることになり、野球用下衣１１の上部１２への砂の入り込みを、常に防ぐことが確実である。
カバーシートの生地は、上衣本体の生地よりも薄く、これによって野球の選手の運動が、さらに円滑に行われ、カバーシートが支障になることはない。上衣本体の生地は、砂の侵入を防ぐとともに、スライディング時の摩擦による破損を生じないようにするために、化学繊維、たとえばポリエステル糸などを用いて、ラッセル編機、丸編機またはトリコット編機などで隙間なく密に編成されて構成され、野球用下衣もまた同様に構成される。これに対してカバーシートは、上衣本体２の裾４付近の下部５が揺れたりばたついたりすることを防ぎ、野球用下衣１１の上部１２から外方（図１の左方）に大きく離間することを防いで運動の障害になることを防ぐ働きを果たし、このようなカバーシートが装着者である野球選手の運動の妨げになることを防ぎ、不快感が生じることを防ぐ働きを果たすので、カバーシートの生地は薄く、さらに本件野球用上衣１の装着をしやすいようにするために、カバーシートの表面の摩擦係数が小さい特性を有する。このようなカバーシートの生地は、ラッセル編機またはトリコット編機などの経編機を用いてポリエステル糸、ポリエステル／綿混糸が用いられ、または綿、絹などが用いられてもよく、さらに湿気を放散する通気性が良好な生地によって構成されてもよい。
【００１３】
また本発明は、カバーシートは、ほぼ全周にわたって形成されることを特徴とする。
【００１４】
本発明に従えば、カバーシートは、野球用上衣のほぼ全周にわたって形成されてもよいが、本発明の他の形態では、前述のように少なくとも前部に設けられてもよい。これによってヘッドスライディング時の野球用下衣の上部への砂の入り込みを確実に防ぐ。
【００１５】
また本発明は、上衣本体の下部とのカバーシートの取付け部と、上衣本体の裾との上下方向の長さは、約２０〜４０ｃｍであることを特徴とする。
【００１６】
カバーシート３は、その上衣本体２下部５への取付け部６から下方に長さＬ１＝約２０〜４０ｃｍだけ垂下し、これによってカバーシートは、野球選手の運動時において常にウエストベルトで締め付けられた状態に保たれるとともに、その運動の支障になることはなく、装着時の不快感はない。
【００２０】
また本発明は、上衣本体は、前あき形であり、
カバーシートが、少なくとも左右の各前身ごろの前部の内側に、周方向にそれぞれ延びることを特徴とする。
【００２１】
本発明に従えば、後述の図１〜図４に示されるように、前あき形上衣本体の少なくとも左右の各前身ごろの前部の内側に、カバーシートが取付けられ、このカバーシートは、上衣本体を野球選手などの身体に装着した状態で、周方向に連続して身体の胴部を囲む。したがって、上衣本体を身体に装着した状態では、カバーシートは、身体の胴部のたとえばほぼ全周にわたって環状に囲む。このように本発明の上衣本体は、前あき形である野球用ユニホームジャケットであってもよい。
【００２２】
また本発明は、上衣本体は、かぶり形であり、
カバーシートは、無端環状であることを特徴とする。
【００２３】
また本発明は、カバーシートは、自然状態で周方向に縮小し、身体に装着した状態で、身体の胴部を弾発的に締め付けることを特徴とする。
【００２４】
本発明に従えば、後述の図５〜図７に示されるように、上衣本体はかぶり形であり、したがって上衣本体の下部はほぼ円筒状であり、このような上衣本体の形状に対応して、カバーシートは無端環状に形成される。こうしてかぶり形上衣本体の装着が容易であるとともに、野球用下衣の上部からの砂の侵入を確実に防ぐことができる。このように本発明の上衣本体は、かぶり形である野球用ユニホームシャツであってもよい。
【００２５】
このカバーシートには、ゴム紐などが含まれ、自然状態では周方向に縮小しており、したがって装着状態でカバーシートが身体の胴部に弾発的に接触する。これによってカバーシートが身体から上下にずれることが抑制され、カバーシートがウエストベルトによって野球用下衣の上部を介して確実に締め付けられた状態が保たれ、カバーシートが野球用下衣の上部を超えて外方にはみ出してくる恐れはない。
【００２６】
【発明の実施の形態】
図１は本発明の実施の一形態の野球用上衣１の縦断面図であり、図２はその野球用上衣１の斜視図であり、図３はその野球用上衣３１を開いた状態を示す簡略化した正面図であり、図４は野球用上衣３１の一部の斜視図である。これらの図面を参照して、野球用上衣１は基本的に、上衣本体３２と、カバーシート３とを含む。上衣本体３２は、前あき形であってジャケットであり、上前身ごろ３３が下前身ごろ３４に上下に重なり、前立幅Ｗを成す。上前身ごろ３３の上下に配列された複数のボタン孔３６に、下前身ごろ３４に取付けられたボタン３７が着脱可能に嵌り込み、連結される。ボタン孔３６およびボタン３７の組合せに代えて、そのほかの構成を有する留め具が用いられてもよい。身ごろ裾４付近で、裾４から上方の部分である下部５には、環状のカバーシート３の上端部７が、前記下部５の前部で内側に、取付け部６で、糸などを用いて縫付けられて取付けられる。野球選手の身体９には、ズボンである野球用下衣１１の上部１２が、ウエストベルト１４によって締め付けられる。この野球用下衣１１の上部１２は、ウエストベルト１４とともに、上衣本体２の下部５によって被われる。野球用下衣１１の上部１２とウエストベルト１４とは、カバーシート３の上端部７の取付け部６よりも下方に存在する。
【００２７】
カバーシート３の下端部１５は、上衣本体２の裾４よりも下方に長く延びる。野球用下衣１１のウエストベルト１４は、上衣本体３２の下部５とのカバーシート３の取付け部６と、上衣本体３２の裾４との上下方向の途中であって、かつ上衣本体２の下部５の内面１６とカバーシート３の外面１７との間に位置する。
【００２８】
このカバーシート３は、上衣本体２の全周にわたって、したがって野球選手の身体９の胴部１８の全周にわたって前述のように環状で前立幅Ｗで重なり合って、筒状に形成される。取付け部６とカバーシート３の下端部１５との上下方向の長さＬ１は、約２０〜４０ｃｍであり、好ましくは約２５〜３５ｃｍであり、さらに好ましくは約３０ｃｍである。これによってカバーシート３はウエストベルト１４によって身体９の胴部１８に確実に締め付けられた状態に保たれ、運動中に、カバーシート３が野球用下衣１１の上部１２を超えて外方（図１の左方）にはみ出してくることはない。
【００２９】
カバーシート３の周方向の一端部４１は、上前身ごろ３３の前身端４２から周方向の長さＬ２をあけて位置する。カバーシート３の周方向の他端部４３は、下前身ごろ３４の端部４４と周方向の同一位置にある。取付け部６は、最下方のボタン孔３６およびボタン３７よりも上方にあってもよい。図４に示されるように、カバーシート３の前記一端部４１から周方向に長さＬ３をあけて、そのカバーシート３の前記他端部４３が参照符４５で示されるように位置して重なる。こうして前立幅Ｗの長さは、図４の長さＬ２，Ｌ３の和である（Ｗ＝Ｌ２＋Ｌ３）。重なりの長さＬ３が設けられることによって、上衣本体３２の野球用下衣１１から外方への揺れ、ばたつきを確実に防ぐことができる。
【００３０】
上衣本体２はスライディング時、生地の間から砂が侵入することがないように、またスライディング時の強い摩擦力の作用によって破損しないように、化学繊維、たとえばポリエステル糸などを用いてラッセル編機、丸編機またはトリコット編機などで隙間なく密に編成されて構成される。カバーシート３の生地は、上衣本体３２の生地よりも薄く、さらにその表面の摩擦係数が小さい特性を有する。これによってカバーシート３が野球用下衣１１の上部１２と身体９の胴部１８との間に介在してウエストベルト１４によって締め付けられても、不快感を生じることなく、快適であり、激しい運動を快適に行うことができ、その運動がカバーシート３によって妨げられることはない。このようなカバーシート３の生地は、たとえば化学繊維、たとえばポリエステル糸がラッセル編機、トリコット編機などの経編機を用いて構成されてもよく、さらに湿気を放散して不快感を感じないようにするために通気性を良好にする多数の開口が形成されていてもよい。
【００３１】
カバーシート３は、ゴム紐などが編み込まれ、これによって自然状態で周方向に縮小しており、身体９に装着した状態でその身体の胴部１８を弾発的に内方（図１の右方）に締め付けるように構成されてもよい。このような弾発力によって、カバーシート３が身体９の胴部１８から上下にずれることがさらに確実に防がれる。
【００３２】
図５は本発明の実施のさらに他の形態の野球用上衣３１の正面から見た斜視図である。この野球用上衣３１は、前述の図１〜図４の実施の各形態に類似し、対応する部分には同一の参照符を付し、さらに添え字ａを付すことがある。野球用ユニホームシャツである野球用上衣３１の上衣本体２は、丸首半袖襟無しのかぶり形である。
【００３３】
図６は、図５に示される野球用上衣３１の分解斜視図である。カバーシート３は細長い帯状体の両端部２１，２２が、糸２３で縫付けられて無端環状とされ、この糸２３による連結部２４は、上衣本体２の周方向の連結部２５と周方向に一致されてもよい。上衣本体２の下部５の取付け部６は、図３におけるカバーシート３の参照符２６で糸によって前述のように縫付けられて固定される。
【００３４】
図７は本発明の実施の他の形態の野球用上衣２８の一部の斜視図である。上衣本体２の裾４は、上下の軸線２９に対して垂直ではなく、角度θ１を成して傾斜していてもよく、そのほかの形状であってもよい。図７に示される実施の形態のそのほかの構成は、前述の図５および図６の実施の形態と同様である。
【００３５】
【発明の効果】
本発明によれば、野球の試合中における、たとえばヘッドスライディング時などにおいて、グランドの砂が上衣本体の下部の外面と野球用下衣のウエストベルト付近における上部の内面との間から入り込むことが確実に防がれるとともに、美感が劣ることはなく、また野球選手の運動中、上衣本体の下部が揺れたりばたつくことが抑制され、快適な運動を維持することができる。
【図面の簡単な説明】
【図１】本発明の実施の一形態の野球用上衣１の縦断面図である。
【図２】本発明の実施の一形態の野球用上衣１の斜視図である。
【図３】本発明の実施の一形態の野球用上衣１を開いた状態を示す斜視図である。
【図４】図１〜図３に示される実施の一形態の一部の斜視図である。
【図５】本発明の実施の他の形態の野球用上衣３１の一部の斜視図である。
【図６】図５に示される野球用上衣３１の分解斜視図である。
【図７】本発明の実施のさらに他の形態の野球用上衣２８の正面から見た斜視図である。
【符号の説明】
１，２８，３１  野球用上衣
２，３２  上衣本体
３，３ａ  カバーシート
４  裾
５  下部
６  取付け部
７  上端部
９  身体
【図１】
0003735315.tif 000002
【図２】
0003735315.tif 000003
【図３】
0003735315.tif 000004
【図４】
0003735315.tif 000005
【図５】
0003735315.tif 000006
【図６】
0003735315.tif 000007
【図７】
0003735315.tif 000008